(57)【要約】      （修正有）【課題】農場の出入口に至る通路より鹿や猪などの野生動物が侵入し、農作物を食い荒らすことによる被害を防止するために上記出入口に至る通路に設置され、野生動物が飛び越えにくいパネルよりなる野生動物侵入防止用の装置を提供する。【解決手段】矩形状の枠１内にベアリングバー２とツイストバー３を格子状に配置したパネル４よりなり、ベアリングバー２とツイストバー３により野生動物の足が入る程の矩形状の開口が前後左右に多数形成される。枠１の両側には、ゴム製の弾性体８が突設され、パネル４を通路に掘削した穴に設置した状態で弾性体８が通路より突出し、その高さは走行する車両のバンパーに当たらない程度にされる。弾性体８は、野生動物が足を掛けると、撓むためジャンプしにくくなる。【選択図】図１
2011160733.tif 000002
【特許請求の範囲】
【請求項１】
枠内が格子状又はハニカム状をなし、野生動物の足が入るほどの開口を前後左右に多数形成したパネルよりなり、該パネルの枠には少なくとも野生動物が侵入しようとする側に野生動物が足を掛けると撓む弾性体をパネルより上向きに突設したことを特徴とする野生動物侵入防止装置。
【請求項２】
前記弾性体は車両走行時に車両のバンパーと干渉することのない高さに設けられることを特徴とする請求項１記載の野生動物侵入防止装置。
【請求項３】
前記パネルが複数、通路に沿い接続して設置され、パネル間に前記弾性体が突設されることを特徴とする請求項１又は２記載の野生動物侵入防止装置。
【発明の詳細な説明】
【技術分野】
【０００１】
本発明は、例えば農地の出入口や鉄道の踏切等に至る通路において、鹿や猪などの野生動物が上記通路を通って農地や線路内に侵入するのを防止する目的で設置される動物侵入防止装置に関する。
【背景技術】
【０００２】
鹿や猪等の野生動物による農作物への被害を防止する対策としては、農地の周りに柵や鉄条網等のフェンスを設置するのが一般的である。鉄道においても、線路脇にフェンスを設置し、人や動物が立ち入ることによる列車の運行が妨げられることがないようにしている。
【０００３】
柵や鉄条網等のフェンスは、設置が比較的簡単で、鹿や猪などの野生動物が侵入するのを防止する効果があるが、農地の出入口や踏切等に至る道路に設置すると、車両や人の行き来に支障を来たす。そこで農地の出入口の場合、開閉可能なドアフェンスを設けているが、出入りする都度ドアフェンスを開閉するのは面倒であり、ドアフェンスを閉め忘れて、そこから野生動物が侵入することもある。
【０００４】
鹿などの野生動物は、足を負傷すると、生命にかかわるため、脚を負傷することを極端に嫌う習性がある。特許文献１には、野生動物のこの習性を利用し、車両や人の通行には支障がないが、野生動物の足が入るほどの窪みを多数形成したハニカム状又は格子状をなす踏板を通路に設置し、野生動物が踏板に足を踏み入れることによる警戒心を懐かせて侵入防止を図るようにしたものが提案されている。
【先行技術文献】
【特許文献】
【０００５】
【特許文献１】特開平１０−２０１４０９号公報
【発明の概要】
【発明が解決しようとする課題】
【０００６】
特許文献１に開示される踏板は、設置当初こそ鹿や猪などの野生動物は警戒心から踏板手前で踏み留まり、脚を踏み入れることはないが、馴れると、次第に足を踏み入れて踏板を渡って侵入したり、踏板の縁に足を掛けてジャンプし、踏板を飛び越えて侵入するものが見られるようになる。
【０００７】
踏板を飛び越えられないようにするため、踏板を長くするのは製作、運送及び施工上の観点から好ましくない。踏板をある程度の長さにして設置現場で接続し設置する場合も踏板が隣り合う接続部分では足が掛け易くなり、ジャンプし易くなる。
【０００８】
本発明は、野生動物が飛び越えにくいパネルよりなる野生動物侵入防止用の装置を提供することを目的とする。
【課題を解決するための手段】
【０００９】
請求項１に係わる発明は、枠内が格子状又はハニカム状をなし、野生動物の足が入るほどの開口を前後左右に多数形成したパネルよりなり、該パネルの枠には少なくとも野生動物が侵入しようとする側に野生動物が足を掛けると撓む弾性体をパネルより上向きに突設したことを特徴とし、
請求項２に係わる発明は、請求項１に係わる発明において、前記弾性体は車両走行時に車両のバンパーと干渉することのない高さに設けられることを特徴とする。
【００１０】
請求項３に係わる発明は、請求項１又は２に係わる発明において、前記パネルが複数、通路に沿い接続して設置され、パネル間に前記弾性体が突設されることを特徴とする。
【発明の効果】
【００１１】
請求項１に係わる発明によると、野生動物が足を弾性体に掛けると、弾性体が撓むためジャンプしにくくなり、パネルを飛び越えにくくなる。
【００１２】
請求項２に係わる発明によると、弾性体は走行する車両のバンパーに届かないため、車両の走行に支障を来たすことがない。
【００１３】
請求項３に係わる発明によると、野生動物が弾性体を越えてパネル内に足を踏み入れ、開口に足を抜差しして一つのパネルを渡り、次のパネルに達したとしても、該パネルからジャンプしようとするとき、足を掛けるパネルの接続部分には弾性体が突設されているため、ジャンプしにくくなり、パネルを飛び越えにくくする。
【図面の簡単な説明】
【００１４】
【図１】本発明に係わる野生動物侵入防止装置を構成するパネルの平面図。
【図２】図１に示すパネルを通路に設置した状態を示す図。
【図３】図１に示すパネルを複数設置した状態を示す図。
【発明を実施するための形態】
【００１５】
以下、本発明の実施形態の野生動物侵入防止装置について図面により説明する。
図１に示す野生動物侵入防止装置は、矩形の枠１内にベアリングバー２と、該ベアリングバー２と直交するツイストバー３を格子状に配置したパネル４よりなるもので、各ベアリングバー２とツイストバー３により野生動物の足が入る程度の矩形状の開口５が前後左右に多数形成されている。そして枠１の両側には、ゴムなどよりなる細板状の弾性体８が上向きに突設されている。
【００１６】
図２は、通路６に掘削されたパネル４と同形の穴７内に前記パネル４を納めて設置した状態を示すもので、前記弾性体８が通路６より上向きに突設され、その突出高さは通路６を走行する車両のバンパーに接触せず、車両の走行に支障を来たさない程度にされている。図中、９はパネル４の高さ調節用の桁材である。
【００１７】
パネル４は、通路６への設置状態において、各開口５は前記桁材９により穴底までの深さが好ましくは２００ｍｍ以上確保できるようにされる。各開口の深さが２００ｍｍ以上あると、野生動物が仮に弾性体８を越えてパネル４内に足を踏み入れた場合、足の少なくとも第１関節以上が開口５に入り込むようになるため、開口５を抜き差ししてパネルを渡るのが困難となるからである。
【００１８】
図示する実施形態において、弾性体８は野生動物が侵入しようとする入側と出側の双方に設けられているが、弾性体８は入側のみに設けてもよい。図示するように、弾性体８を入側と出側の双方に設けると、パネル４の前後の向きに配慮することなく、設置することができる。
【００１９】
図示する実施形態においてはまた、前記パネル４は、ベアリングバー２とツイストバー３を格子状に配置しているが、例えば、同一幅の細板状の部材を格子状に配置したものであってもよいし、一方の部材を傾斜させて、開口５を平行四辺形又は菱形に形成してもよく、また開口をハニカム状に形成したものであってもよい。開口をハニカム状に形成したものも同様であるが、部材を傾斜させれば、足を枠１に掛けてジャンプしようとすると、足が傾斜した部材に当たり、足を掛け難くするため、ジャンプしてパネル４を飛び越えるのを困難にする。
【００２０】
前記パネル４は穴縁に直接載置し取付けられているが、穴縁に受枠を取付け、パネル４を受枠に取付けるようにしてもよい。これによりパネル４を通路５に安定して設置することができる。
【００２１】
図３は、弾性体８を枠１の一方の側に設けたパネル４を複数、通路に沿い接続して設置した例を示すもので、パネル間に弾性体８が突設された形態をなしている。
【符号の説明】
【００２２】
１・・枠
２・・ベアリングバー
３・・ツイストバー
４・・パネル
５・・開口
６・・通路
７・・穴
８・・弾性体
９・・桁材
【図１】
2011160733.tif 000003
【図２】
2011160733.tif 000004
【図３】
2011160733.tif 000005